(57)【要約】【課題】貯蔵室内をより明るく、また、より美しく照明することができるようにした冷蔵庫を提供する。【解決手段】本実施形態に係る冷蔵庫は、貯蔵室と、前記貯蔵室内を照明する照明部と、前記貯蔵室内のうち前記照明部により照明される部位に設けられ、前記貯蔵室内に冷気を供給する冷気ダクトと、を備え、前記冷気ダクトの前記照明部側の面に複数の傾斜面が設けられており、これら複数の傾斜面を相互に仮想的に連結することにより形成される仮想反射面が、前記照明部とは反対側に窪む凹面状をなす。【選択図】図５
2019027752.tif 000002
【特許請求の範囲】
【請求項１】
貯蔵室と、
前記貯蔵室内を照明する照明部と、
前記貯蔵室内のうち前記照明部により照明される部位に設けられ、前記貯蔵室内に冷気を供給する冷気ダクトと、を備え、
前記冷気ダクトの前記照明部側の面に複数の傾斜面が設けられており、これら複数の傾斜面を相互に仮想的に連結することにより形成される仮想反射面が、前記照明部とは反対側に窪む凹面状をなす冷蔵庫。
【請求項２】
前記仮想反射面を仮想的に形成する複数の傾斜面は、前記冷気ダクトの前記照明部側の面において相互に分断されている請求項１に記載の冷蔵庫。
【請求項３】
前記照明部は、前記冷気ダクトの上端と下端との間の高さに設けられている請求項１または２に記載の冷蔵庫。
【請求項４】
前記貯蔵室の開口部に回動可能に設けられる扉を備え、
前記照明部は、前記扉の回動軸側に設けられている請求項１から３の何れか１項に記載の冷蔵庫。
【請求項５】
前記貯蔵室内に設けられる棚を備え、
前記照明部を構成する光源は、前記棚に対向しない位置に設けられている請求項１から４の何れか１項に記載の冷蔵庫。
【請求項６】
前記傾斜面の幅は、前記照明部の幅よりも小さい請求項１から５の何れか１項に記載の冷蔵庫。
【発明の詳細な説明】
【技術分野】
【０００１】
本実施形態は、冷蔵庫に関する。
【背景技術】
【０００２】
従来より、貯蔵室内を照明する照明部を備える冷蔵庫が考えられている。例えば特許文献１に開示されている冷蔵庫は、貯蔵室内を照明する照明部として庫内灯を備えている。
【先行技術文献】
【特許文献】
【０００３】
【特許文献１】特開２００９−２４３７８６号公報
【発明の概要】
【発明が解決しようとする課題】
【０００４】
近年では、単に貯蔵室内を照明するだけではなく、例えば、貯蔵室内をより明るく、あるいは、より美しく照明するための技術が求められている。
【０００５】
本実施形態は、貯蔵室内をより明るく、また、より美しく照明することができるようにした冷蔵庫を提供する。
【課題を解決するための手段】
【０００６】
本実施形態に係る冷蔵庫は、貯蔵室、照明部、冷気ダクトを備える。照明部は、前記貯蔵室内を照明する。冷気ダクトは、前記貯蔵室内のうち前記照明部により照明される部位に設けられ、前記貯蔵室内に冷気を供給する。そして、前記冷気ダクトの前記照明部側の面に複数の傾斜面が設けられており、これら複数の傾斜面を相互に仮想的に連結することにより形成される仮想反射面が、前記照明部とは反対側に窪む凹面状をなす。
【図面の簡単な説明】
【０００７】
【図１】本実施形態に係る冷蔵庫の構成例を概略的に示す縦断側面図
【図２】冷蔵室の構成例を概略的に示す横断平面図
【図３】照明部およびその周辺部分の構成例を概略的に示す縦断側面図
【図４】冷気ダクトの構成例を概略的に示す正面図
【図５】冷気ダクトの構成例を概略的に示す横断平面図
【図６】冷気ダクトの左半部の構成例を概略的に示す横断平面図
【図７】冷気ダクトの右半部の構成例を概略的に示す横断平面図
【図８】冷気ダクトの裏面側の構成例を概略的に示す斜視図
【図９】ルーバ部およびその周辺部分の構成例を示す横断平面図
【図１０】冷気ダクトの構成例を概略的に示す縦断側面図
【図１１】棚掛け部の構成例を概略的に示す斜視図
【図１２】冷蔵室内の構成例を概略的に示す斜視図
【図１３】変形例に係る冷気ダクトの構成例を概略的に示す縦断側面図
【発明を実施するための形態】
【０００８】
以下、冷蔵庫に係る一実施形態について図面を参照しながら説明する。図１に例示する冷蔵庫１０は、その外郭を構成する断熱箱体１１の内部に、何れも貯蔵室の一例である冷蔵室１２、野菜室１３、冷凍室１４などの複数種類の貯蔵室を備えている。冷蔵室１２、野菜室１３、冷凍室１４は、相互に上下に隣接した状態で区分されている。冷蔵庫１０は、図示しない周知の冷凍サイクルを備えており、この冷凍サイクルにより生成される冷気が、図示しないファンによる送風作用により各貯蔵室内に供給されるようになっている。
【０００９】
冷蔵室１２の背面には、冷気ダクト１５が取り付けられている。冷気ダクト１５の下部は、冷却室１６に接続されている。冷却室１６の内部には、冷凍サイクルを構成する図示しない冷却器やファンが設けられている。冷凍サイクルにより生成される冷気のうち冷蔵室１２に供給される冷気は、まず冷却室１６から冷気ダクト１５の背面側に供給される。そして、冷気ダクト１５の背面側に供給された冷気は、詳しくは後述する冷気吹出口４０および冷気吹出スリット４１を介して冷蔵室１２内に吹き出される。これにより、冷蔵室１２内の冷却が行われ、冷蔵室１２内が所定の冷蔵温度帯の設定温度に維持される。
【００１０】
また、冷蔵室１２の内部には、食品類などの貯蔵物を載置するための複数の棚１７が着脱可能に取り付けられる。棚１７は、冷蔵室１２の内側面に設けられた棚支持部１２ａ、および、詳しくは後述する冷気ダクト１５の棚掛け部５０により着脱可能に支持される。これにより、冷蔵室１２内において、棚１７を強固に、且つ、安定的に支持することができる。
【００１１】
図２に例示するように、冷蔵室１２の前面開口部は、２つの冷蔵室扉、即ち、冷蔵室左扉２０Ｌおよび冷蔵室右扉２０Ｒにより開閉される。冷蔵室左扉２０Ｌは、冷蔵庫１０の正面側から見て、冷蔵室１２の左側に設けられており、冷蔵室右扉２０Ｒは、冷蔵庫１０の正面側から見て、冷蔵室１２の右側に設けられている。冷蔵室左扉２０Ｌは、冷蔵室１２の前面開口部の左端側に設けられている回動軸２１Ｌを回動中心として、左右方向に回動可能に設けられている。また、冷蔵室右扉２０Ｒは、冷蔵室１２の前面開口部の右端側に設けられている回動軸２１Ｒを回動中心として、左右方向に回動可能に設けられている。即ち、冷蔵室左扉２０Ｌ，２０Ｒは、いわゆる観音開き式の扉となっている。
【００１２】
そして、冷蔵室左扉２０Ｌにおける回動軸２１Ｌ側の端部には、照明部２２Ｌが設けられている。この場合、照明部２２Ｌは、冷蔵室左扉２０Ｌのドアポケット２３Ｌを支持するドアポケット支持部２４Ｌの回動軸２１Ｌ側の壁面に埋め込まれるようにして設けられている。また、冷蔵室右扉２０Ｒにおける回動軸２１Ｒ側の端部には、照明部２２Ｒが設けられている。この場合、照明部２２Ｒは、冷蔵室右扉２０Ｒのドアポケット２３Ｒを支持するドアポケット支持部２４Ｒの回動軸２１Ｒ側の壁面に埋め込まれるようにして設けられている。
【００１３】
図３に例示するように、照明部２２Ｌは、内部に複数の光源２５を備え、これら複数の光源２５をカバー２６により覆った構成となっている。また、図示は省略するが、照明部２２Ｒも、内部に複数の光源２５を備え、これら複数の光源２５をカバー２６により覆った構成となっている。光源２５は、例えばＬＥＤなどにより構成される。本実施形態では、照明部２２Ｌ，２２Ｒは、それぞれ２つの光源２５を上下に配列した構成となっている。また、カバー２６は、例えば透明なプラスチック材料により構成されている。ＬＥＤの発光色は、白色であってもよいし、その他の色であってもよい。また、カバー２６は、着色されていてもよい。
【００１４】
照明部２２Ｌの光源２５は、何れも、冷蔵室１２内に設けられる何れの棚１７の設置位置とも異なる高さ位置に配置されており、つまり、棚１７に対向しない位置に設けられている。また、照明部２２Ｒの光源２５も、何れも、冷蔵室１２内に設けられる何れの棚１７の設置位置とも異なる高さ位置に配置されており、つまり、棚１７に対向しない位置に設けられている。よって、照明部２２Ｌの光源２５が発する光、および、照明部２２Ｒの光源２５が発する光が棚１７によって遮られることが回避され、照明部２２Ｌ，２２Ｒからの照射光が冷気ダクト１５側に到達しやすくなっている。なお、照明部２２Ｌ，２２Ｒにおいて光源２５を配置する位置は、冷蔵室１２内における棚１７の設置位置に対向しない高さ位置において、適宜変更して設定することができる。
【００１５】
また、照明部２２Ｌ，２２Ｒは、何れも、冷蔵室１２内の背面に取り付けられている冷気ダクト１５の上端と下端との間の高さ位置に設けられている。よって、照明部２２Ｌ，２２Ｒからの照射光は、その殆どが冷気ダクト１５の上方または下方に外れることなく、冷気ダクト１５の表面に向かいやすくなっている。なお、照明部２２Ｌ，２２Ｒを設置する位置は、冷蔵室１２内の冷気ダクト１５の上端と下端との間の高さ位置において、適宜変更して設定することができる。
【００１６】
冷蔵庫１０の動作全般を制御する図示しない制御装置は、冷蔵室左扉２０Ｌの開閉状態および冷蔵室右扉２０Ｒの開閉状態を、図示しない開扉センサにより検知する。そして、制御装置は、冷蔵室左扉２０Ｌが開かれたことを検知すると、つまり、冷蔵室左扉２０Ｌの回動軸２１Ｌ側の端面が冷蔵室１２内に指向した状態になると、照明部２２Ｌの光源２５をオンする。これにより、冷蔵室１２内が照明部２２Ｌにより照明される状態となる。また、制御装置は、冷蔵室左扉２０Ｌが閉じられたことを検知すると、つまり、冷蔵室左扉２０Ｌの回動軸２１Ｌ側の端面が冷蔵室１２内に指向しない状態になると、照明部２２Ｌの光源２５をオフする。
【００１７】
また、制御装置は、冷蔵室右扉２０Ｒが開かれたことを検知すると、つまり、冷蔵室右扉２０Ｒの回動軸２１Ｒ側の端面が冷蔵室１２内に指向した状態になると、照明部２２Ｒの光源２５をオンする。これにより、冷蔵室１２内が照明部２２Ｒにより照明される状態となる。また、制御装置は、冷蔵室右扉２０Ｒが閉じられたことを検知すると、つまり、冷蔵室右扉２０Ｒの回動軸２１Ｒ側の端面が冷蔵室１２内に指向しない状態になると、照明部２２Ｒの光源２５をオフする。
【００１８】
以上の通り構成された冷蔵庫１０において、冷蔵室１２の背面は、冷蔵室左扉２０Ｌが開かれた状態で照明部２２Ｌにより照明される部位であり、また、冷蔵室右扉２０Ｒが開かれた状態で照明部２２Ｒにより照明される部位でもある。冷気ダクト１５は、このように照明部２２Ｌ，２２Ｒにより照明される照明範囲内、この場合、冷蔵室１２の背面に設けられている。
【００１９】
次に、この冷気ダクト１５の構成例について説明する。図４に例示するように、冷気ダクト１５は、冷蔵庫１０の正面側から見て、全体として矩形の板状をなしており、冷蔵室１２の背面に沿ってほぼ垂直に取り付けられる。以下、冷気ダクト１５が冷蔵室１２の背面に取り付けられた状態において、冷蔵庫１０の前面側となる面、つまり、照明部２２Ｌ，２２Ｒが存在する側の面を冷気ダクト１５の「表面」と定義し、冷蔵庫１０の背面側となる面、つまり、照明部２２Ｌ，２２Ｒが存在しない側の面を冷気ダクト１５の「裏面」と定義する。冷気ダクト１５は、例えばポリスチレン系の樹脂材料などの光を反射する性質が高い材料で形成することが好ましい。
【００２０】
図５に例示するように、冷気ダクト１５の表面には、複数の傾斜面３０Ｌ，３０Ｒが設けられている。この場合、複数の傾斜面３０Ｌ，３０Ｒは、何れも冷気ダクト１５の上下方向に沿って直線状に延びている。そして、左右方向に隣り合う傾斜面３０Ｌおよび傾斜面３０Ｒにより形成される山部および谷部は、何れも冷気ダクト１５の上下方向に沿って直線状に延びている。また、傾斜面３０Ｌの法線方向は、冷蔵室１２の左側前方、つまり、冷蔵室左扉２０Ｌが存在する方向に指向している。また、傾斜面３０Ｒの法線方向は、冷蔵室１２の右側前方、つまり、冷蔵室右扉２０Ｒが存在する方向に指向している。
【００２１】
傾斜面３０Ｌは、主として、冷蔵室左扉２０Ｌの照明部２２Ｌによる照射光を反射する反射面として機能する面である。そして、これら傾斜面３０Ｌのみを相互に仮想的に連結することにより形成される仮想反射面３１Ｌを想定すると、この仮想反射面３１Ｌは、照明部２２Ｌとは反対側つまり冷気ダクト１５の裏面側に窪む凹面状をなすようになっている。
【００２２】
即ち、図６に例示するように、傾斜面３０Ｌの傾斜角度αＬａ〜αＬｇは、冷気ダクト１５の左右方向の中央側ほど大きく、左右方向の外側に向かうほど小さくなっている。そのため、このような傾斜面３０Ｌのみを相互に仮想的に連結することにより得られる仮想反射面３１Ｌは、左右方向の中央部から外側に向かうほど傾斜が緩やかとなるほぼ曲面状をなす面となる。なお、本実施形態では、中央側の傾斜角度αＬａ〜αＬｃは例えば６．７°で共通であり、その外側の傾斜角度αＬｄ〜αＬｅは例えば３．６°で共通であり、その外側の傾斜角度αＬｆは２．７°であり、その外側つまり最も外側の傾斜角度αＬｇは１．８°で設定されている。なお、複数の傾斜面３０Ｌの傾斜角度αＬは、中央側から外側に向かうほど小さくなるという条件を満たすのであれば、適宜変更して設定することができる。
【００２３】
一方、傾斜面３０Ｒは、主として、冷蔵室右扉２０Ｒの照明部２２Ｒによる照射光を反射する反射面として機能する面である。そして、これら傾斜面３０Ｒのみを相互に仮想的に連結することにより形成される仮想反射面３１Ｒを想定すると、この仮想反射面３１Ｒは、照明部２２Ｒとは反対側つまり冷気ダクト１５の裏面側に窪む凹面状をなすようになっている。
【００２４】
即ち、図７に例示するように、傾斜面３０Ｒの傾斜角度αＲａ〜αＲｇは、冷気ダクト１５の左右方向の中央側ほど大きく、左右方向の外側に向かうほど小さくなっている。そのため、このような傾斜面３０Ｒのみを相互に仮想的に連結することにより得られる仮想反射面３１Ｒは、左右方向の中央部から外側に向かうほど傾斜が緩やかとなるほぼ曲面状をなす面となる。なお、本実施形態では、中央側の傾斜角度αＲａ〜αＲｃは例えば６．７°で共通であり、その外側の傾斜角度αＲｄ〜αＲｅは例えば３．６°で共通であり、その外側の傾斜角度αＲｆは２．７°であり、その外側つまり最も外側の傾斜角度αＲｇは１．８°で設定されている。なお、複数の傾斜面３０Ｒの傾斜角度αＲは、中央側から外側に向かうほど小さくなるという条件を満たすのであれば、適宜変更して設定することができる。
【００２５】
また、冷気ダクト１５の表面において、傾斜面３０Ｌと傾斜面３０Ｒは、冷気ダクト１５の左右方向に沿って交互に配置されており、これにより、左右方向に隣り合う傾斜面３０Ｌは、傾斜面３０Ｒにより分断され、一方、左右方向に隣り合う傾斜面３０Ｒは、傾斜面３０Ｌにより分断された構成となっている。また、傾斜面３０Ｌの左右方向の幅は、照明部２２Ｌのカバー２６の左右方向の幅よりも小さくなっている。また、傾斜面３０Ｒの左右方向の幅は、照明部２２Ｒのカバー２６の左右方向の幅よりも小さくなっている。
【００２６】
以上の通り、冷気ダクト１５は、その表面に、複数の傾斜面３０Ｌにより仮想的に形成されるほぼ凹面状の仮想反射面３１Ｌ、および、複数の傾斜面３０Ｒにより仮想的に形成されるほぼ凹面状の仮想反射面３１Ｒを含む構成となっており、その表面形状は、２つの凹面形状を有する表面構造と等価な構造となっている。
【００２７】
そして、このような仮想反射面３１Ｌ，３１Ｒを表面に有する冷気ダクト１５によれば、仮想反射面３１Ｌにおいては、主として照明部２２Ｌからの照射光が仮想反射面３１Ｌを構成する各傾斜面３０Ｌにおいてそれぞれ反射することから、照明部２２Ｌによる照射光を光源２５の実際の数よりも多くして見せることができる。また、実際の数よりも多く見える光源２５が左右方向に並んだような態様で見せることができる。また、仮想反射面３１Ｒにおいては、主として照明部２２Ｒからの照射光が仮想反射面３１Ｒを構成する各傾斜面３０Ｒにおいてそれぞれ反射することから、照明部２２Ｒによる照射光を光源２５の実際の数よりも多くして見せることができる。また、実際の数よりも多く見える光源２５が左右方向に並んだような態様で見せることができる。
【００２８】
また、冷蔵庫１０の構成によれば、冷蔵室左扉２０Ｌの開度により、冷気ダクト１５の表面に対する照明部２２Ｌの位置が変位し、また、冷気ダクト１５の表面に対する照明部２２Ｌの指向角度が変化する。そのため、冷蔵室左扉２０Ｌの開閉に伴い、つまり、開度の変化に伴い、仮想反射面３１Ｌに対する照明部２２Ｌの照射光の入射角度や入射位置も変化するようになる。よって、冷蔵室左扉２０Ｌの開閉に伴い、照明部２２Ｌからの照射光の仮想反射面３１Ｌに対する反射の態様が変化するようになり、冷気ダクト１５の表面において、照明部２２Ｌからの照射光が冷気ダクト１５の表面上をキラキラと移動しながら反射するような状態を形成することができる。
【００２９】
また、冷蔵庫１０の構成によれば、冷蔵室右扉２０Ｒの開度により、冷気ダクト１５の表面に対する照明部２２Ｒの位置が変位し、また、冷気ダクト１５の表面に対する照明部２２Ｒの指向角度が変化する。そのため、冷蔵室右扉２０Ｒの開閉に伴い、つまり、開度の変化に伴い、仮想反射面３１Ｒに対する照明部２２Ｒの照射光の入射角度や入射位置も変化するようになる。よって、冷蔵室右扉２０Ｒの開閉に伴い、照明部２２Ｒからの照射光の仮想反射面３１Ｒに対する反射の態様が変化するようになり、冷気ダクト１５の表面において、照明部２２Ｒからの照射光が冷気ダクト１５の表面上をキラキラと移動しながら反射するような状態を形成することができる。
【００３０】
また、冷蔵室左扉２０Ｌの開度と冷蔵室右扉２０Ｒの開度とを異ならせた状態では、仮想反射面３１Ｌによる反射光と仮想反射面３１Ｒによる反射光とが相互に異なる態様で反射するような状態となる。そのため、冷蔵室１２内を一層バリエーションに富んだ態様で照明することができる。
【００３１】
次に、冷気ダクト１５の他の部位の構成例について順に説明する。即ち、図４および図５に例示するように、冷気ダクト１５は、当該冷気ダクト１５を前後方向に貫通する複数の冷気吹出口４０を備えている。本実施形態では、冷気吹出口４０は、冷気ダクト１５の左右方向の中央部において上下方向に沿って一列に断続的に配置されている。また、本実施形態では、冷気ダクト１５の中央部は、中央部において隣り合う傾斜面３０Ｌ，３０Ｒが形成する谷部となっており、従って、複数の冷気吹出口４０は、冷気ダクト１５の中央部の谷部に沿って直線状に配列されている。
【００３２】
また、図８に例示するように、冷気吹出口４０の裏側には、当該冷気吹出口４０の形状に沿って裏面側に突出するリブ４０ａが設けられている。リブ４０ａは、冷気ダクト１５の裏面側に結露や食品屑などの異物が入りにくくするための機能を有する。また、リブ４０ａは、冷気ダクト１５の冷気吹出口４０の周辺部分つまり中央部の谷部を補強する機能を有する。
【００３３】
複数の冷気吹出口４０は、何れも、冷蔵室１２内に設けられる何れの棚１７の設置位置とも異なる高さ位置に配置されており、つまり、棚１７に対向しない位置に設けられている。よって、冷気吹出口４０から吹き出される冷気は、棚１７により遮られにくくなり、冷蔵室１２内に効率良く流れることができる。また、冷気吹出口４０から吹き出される冷気が棚１７、特に、棚１７の冷気ダクト１５側の端部に当たり難くなる。よって、棚１７が過剰に冷却されて結露が発生してしまうことを回避することができる。
【００３４】
また、冷気ダクト１５には、上下方向に延びる冷気吹出スリット４１が設けられている。この場合、冷気吹出スリット４１は、冷気ダクト１５の中央部において上下に一列に並ぶ複数の冷気吹出口４０を挟んで、左右に１本ずつ設けられている。冷気吹出スリット４１は、冷気ダクト１５の上部および下部を除く部分において、上下方向に沿って連続して直線状に延びている。また、冷気吹出スリット４１の下面は、前方に向かって若干傾斜している。これにより、冷気吹出スリット４１内に結露が発生したとしても、その結露水を冷気吹出スリット４１の下面から前方に向かって排出しやすくすることができる。また、冷気吹出スリット４１内に食品屑などの異物が入り込んだとしても、その異物を冷気吹出スリット４１の下面から前方に向かって排出しやすくすることができる。
【００３５】
また、図９にも例示するように、冷気吹出スリット４１の裏側には、ルーバ部４２が設けられている。ルーバ部４２の入口部４２ａは、冷気ダクト１５の左右方向の外側に向かって開放している。図１０に例示するように、ルーバ部４２の入口部４２ａには、上下方向に沿って延びる１本のメインリブ４２ｂと、このメインリブ４２ｂから前後方向に沿って延びる複数のサブリブ４２ｃと、が設けられている。つまり、ルーバ部４２の入口部４２ａは、メインリブ４２ｂおよびサブリブ４２ｃを有する格子状の開口となっている。一方、ルーバ部４２の出口部４２ｄは、冷気吹出スリット４１に接続されている。そして、ルーバ部４２は、入口部４２ａと出口部４３ｂとの間が滑らかに湾曲した形状となっている。
【００３６】
図１０に例示するように、本実施形態では、サブリブ４２ｃは、メインリブ４２ｂの前後において対称に設けられておらず、メインリブ４２ｂの前側と後側において交互に間引かれた構成となっている。即ち、メインリブ４２ｂの前側に設けられるサブリブ４２ｃは、メインリブ４２ｂの後側に設けられるサブリブ４２ｃの間の高さ位置に設けられており、また、メインリブ４２ｂの後側に設けられるサブリブ４２ｃは、メインリブ４２ｂの前側に設けられるサブリブ４２ｃの間の高さ位置に設けられている。
【００３７】
即ち、本実施形態では、サブリブ４２ｃの数を少なくするようにしている。サブリブ４２ｃが設けられる部位においては、樹脂成形時に材料の歪み、いわゆる「引け」が生じてしまうおそれがある。本実施形態の冷気ダクト１５によれば、このような「引け」が生じるおそれがあるサブリブ４２ｃの数を抑えるようにしたので、いわゆる「引け」による冷気吹出スリット４１の歪みを回避することができ、冷気の流れを良好にすることができる。また、冷気ダクト１５において上下方向に直線状に延びる冷気吹出スリット４１を歪みの少ない、あるいは、歪みの無い開口とすることができるから、冷気ダクト１５の外観の向上を図ることができる。
【００３８】
図９に例示するように、ルーバ部４２の入口部４２ａは、前後方向の中央部がメインリブ４２ｂにより仕切られており、これにより、所定の開口寸法Ｄ１を有する複数の開口が形成されている。これに対して、ルーバ部４２の出口部４２ｄは、中間部が仕切られておらず、少なくとも寸法Ｄ１の２倍以上の開口寸法Ｄ２を有する開口となっている。開口寸法Ｄ１は、例えば豆類などの小さな食品類や食品屑などの寸法として通常想定される大きさよりも小さい寸法、例えば６ｍｍ程で設定するとよい。これにより、仮に冷気吹出スリット４１内に小さな食品類や食品屑などが入り込んだとしても、その食品類や食品屑などがルーバ部４２の入口部４２ａを通過して冷気ダクト１５の裏面側に入ってしまうことを防止することができる。しかも、ルーバ部４２の出口部４２ｄにおいては、少なくとも寸法Ｄ１の２倍以上の開口寸法Ｄ２を有する開口が形成されていることから、冷気の流路面積を十分に確保することができ、冷気の流れを良好に維持することができる。
【００３９】
また、ルーバ部４２の出口部４２ｄは、冷気ダクト１５の表面側の傾斜面に設けられており、これにより、出口部４２ｄの入口部４２ａとは反対側の先端部Ｓ１は、出口部４２ｄの入口部４２ａ側の先端部Ｓ２よりも背面側に位置している。よって、冷気ダクト１５の裏面からルーバ部４２の入口部４２ａに進入した冷気Ｆは、出口部４２ｄの入口部４２ａとは反対側の先端部Ｓ１により遮られにくくなり、これにより、冷気ダクト１５の裏面から冷気吹出スリット４１を通して冷気が吹き出されやすくなる。
【００４０】
また、ルーバ部４２の入口部４２ａは、冷気ダクト１５の正面側から見て、出口部４２ｄの入口部４２ａ側の先端部Ｓ２により隠れるようになっている。よって、冷気ダクト１５を正面から見た場合に、入口部４２ａの格子状の構成が視認されにくくなっている。また、冷気ダクト１５を正面から見た場合に、冷気の入り口となる入口部４２ａが見えにくいことから、冷気吹出スリット４１が冷気を吹き出す部位であることを一見して分かり難くすることができ、デザイン性の向上を図ることができる。
【００４１】
また、図４および図１０に例示するように、冷気ダクト１５の表面には、複数の棚掛け部５０が設けられている。この場合、棚掛け部５０は、複数の冷気吹出口４０および２本の冷気吹出スリット４１を挟んで、左右に１列ずつ設けられている。また、棚掛け部５０は、冷気ダクト１５の表面において隣り合う傾斜面が形成する谷部に位置して設けられている。
【００４２】
即ち、冷気ダクト１５は、裏面側には傾斜面を有しておらず、冷気吹出口４０のリブ４０ａやルーバ部４２などの突起物を除き、その殆どの面が平坦な構成となっている。よって、冷気ダクト１５は、傾斜面により形成される山部においては肉厚となるが、谷部においては肉薄となり、強度が弱まった構成となっている。よって、このような谷部に対応して棚掛け部５０を設けることにより、この棚掛け部５０によって、谷部の強度を補強することができる。さらに、図１１に例示するように、棚掛け部５０の基部には、当該棚掛け部５０を補強するためのリブ５０ａが設けられている。これにより、リブ５０ａによって棚掛け部５０を補強するとともに、冷気ダクト１５表面の谷部を補強することもできる。
【００４３】
また、冷蔵室１２内においては、これら棚掛け部５０の高さ位置において棚１７が設置される。そのため、冷気ダクト１５は、複数の冷気吹出口４０を、何れも、これら棚掛け部５０の高さ位置と異なる位置に設けるように構成するとよい。これにより、棚掛け部５０に引っ掛けられた棚１７により冷気吹出口４０が塞がれてしまうことを回避することができる。
【００４４】
また、図１２に例示するように、冷気ダクト１５の表面において、複数の傾斜面は、当該冷気ダクト１５の上端まで延びており、これにより、冷気ダクト１５の表面における山形状および谷形状は、冷蔵室１２内において最も上段に設置される棚１７よりも上側においても視認することができる。また、冷気ダクト１５の上端部においては、山形状および谷形状が交互に連続する山脈状のデザインを視認することができ、ユーザが冷蔵室１２内を覗いた場合における美感の向上を図ることができる。
【００４５】
また、冷気ダクト１５の下部には、前側に緩やかに膨出する膨出部６０が設けられている。そして、図４および図１０にも例示するように、この膨出部６０の下部には、左右方向に直線状に延びる突条部６１が設けられている。ここで、冷気ダクト１５の表面において、複数の傾斜面により形成される谷部は上下方向に沿って直線状に延びており、冷気ダクト１５の表面に結露が発生した場合に、その結露水が流れる水路としても機能する。そして、谷部に沿って下方に流れる結露水は、さらに膨出部６０の表面を流れて下方に流れる。突条部６１は、このようにして流下した結露水を受けて、左右方向に案内する。これにより、結露水が、冷気ダクト１５の下部の冷却室１６内に流れ込むことを回避することができ、冷却器やファンが結露水により濡れてしまうことを防止することができる。
【００４６】
本実施形態に係る冷蔵庫によれば、冷気ダクト１５は、その表面側に複数の傾斜面３０Ｌ，３０Ｒを有する。そして、冷気ダクト１５は、複数の傾斜面３０Ｌを相互に仮想的に連結することにより形成される仮想反射面３１Ｌが照明部２２Ｌとは反対側である裏側に窪むほぼ凹面状をなす。また、冷気ダクト１５は、複数の傾斜面３０Ｒを相互に仮想的に連結することにより形成される仮想反射面３１Ｒが照明部２２Ｒとは反対側である裏側に窪むほぼ凹面状をなす。
【００４７】
この構成によれば、冷蔵室左扉１６Ｌの開閉に伴い、照明部２２Ｌからの照射光が仮想反射面３１Ｌに対してキラキラと移動しながら反射するような状態を形成することができ、また、冷蔵室右扉１６Ｒの開閉に伴い、照明部２２Ｒからの照射光が仮想反射面３１Ｒに対してキラキラと移動しながら反射するような状態を形成することができる。よって、単に貯蔵室内を庫内灯により照明する従来の構成とは異なり、冷蔵室１２内をより明るく照明することができ、また、より美しく照明することができる。
【００４８】
また、本実施形態の冷蔵庫１０によれば、冷気ダクト１５の表面において、仮想反射面３１Ｌを形成する複数の傾斜面３０Ｌは、仮想反射面３１Ｒを形成する複数の傾斜面３０Ｒにより相互に分断されており、また、仮想反射面３１Ｒを形成する複数の傾斜面３０Ｒは、仮想反射面３１Ｌを形成する複数の傾斜面３０Ｌにより相互に分断されている。
【００４９】
即ち、本実施形態によれば、冷気ダクト１５の表面において、仮想反射面３１Ｌの一部と仮想反射面３１Ｒの一部とが交互に配置された構成となっているので、冷蔵室左扉１６Ｌの開閉に伴い仮想反射面３１Ｌにより反射される照明部２２Ｌの照明光が見え隠れしながら左右方向に移動するようになり、また、冷蔵室右扉１６Ｒの開閉に伴い仮想反射面３１Ｒにより反射される照明部２２Ｒの照明光が見え隠れしながら左右方向に移動するようになる。よって、反射光をよりキラキラした感じで見せることができ、冷蔵室１２内を一層美しく照明することができる。
【００５０】
また、照明部２２Ｌ，２２Ｒは、仮想反射面３１Ｌおよび仮想反射面３１Ｒを仮想的に備える冷気ダクト１５の上端と下端との間の高さに設けられている。この構成によれば、照明部２２Ｌ，２２Ｒからの照射光を、冷気ダクト１５の上方あるいは下方に外すことなく冷気ダクト１５の表面、換言すれば、仮想反射面３１Ｌおよび仮想反射面３１Ｒに効率良く照射することができ、冷蔵室１２内を一層明るく照明することができ、また、一層美しく照明することができる。
【００５１】
また、照明部２２Ｌは、回動可能な冷蔵室左扉１６Ｌに設けられており、また、照明部２２Ｒは、回動可能な冷蔵室右扉１６Ｒに設けられている。この構成によれば、冷蔵室左扉１６Ｌ，１６Ｒの開閉に伴い、照明部２２Ｌ，２２Ｒ、換言すれば光源２５の位置や指向方向を変化させることができ、冷蔵室左扉１６Ｌ，１６Ｒの開度に応じて、異なる態様で冷蔵室１２内を照明することができる。つまり、単に貯蔵室内を庫内灯により照明する従来の構成とは異なり、変化に富んだ態様で冷蔵室１２内を照明することができる。
【００５２】
また、照明部２２Ｌ，２２Ｒを構成する光源２５は、何れも、棚１７に対向しない位置に設けられている。この構成によれば、照明部２２Ｌ，２２Ｒからの照射光が棚１７により遮られることなく冷気ダクト１５の表面に向かうようになり、冷気ダクト１５の表面に備えられている機能、即ち、仮想反射面３１Ｌ，３１Ｒによる反射機能を十分に活用することができる。
【００５３】
また、冷気ダクト１５の傾斜面３０Ｌ，３０Ｒの横方向の幅は、照明部２２Ｌ，２２Ｒの横方向の幅よりも小さい。即ち、傾斜面３０Ｌ，３０Ｒの横方向の幅をある程度の幅で制限することにより、冷気ダクト１５の表面に形成できる傾斜面３０Ｌ，３０Ｒの数を多くすることができ、よりきめ細かい仮想反射面３１Ｌ，３１Ｒを形成することができる。これにより、仮想反射面３１Ｌ，３１Ｒによる反射をよりきめ細かいものとすることができ、冷蔵室１２内を一層美しく照明することができる。
【００５４】
なお、本実施形態は、上述した実施形態に限定されるものではなく、例えば次のように拡張または変形することができる。例えば、照明部は、冷蔵室扉に設けられるものに限られず、例えば、貯蔵室の内側面、天井面、底面に設けられるものであってもよい。
【００５５】
本実施形態では、冷気ダクト１５は、左右方向の中央部の複数の冷気吹出口４０を中心として左右対称な構成となっている。しかし、冷気ダクト１５は、左右対称な構成に限られるものではなく、例えば、左右で傾斜面の傾斜角度、冷気吹出スリット４１の形状や数、棚掛け部５０の形状や数などを異ならせた非対称な構成としてもよい。
【００５６】
図１３に例示するように、ルーバ部４２の入口部４２ａは、サブリブ４２ｃをメインリブ４２ｂの前後において対称に設けた構成、つまり、メインリブ４２ｂを間引かない構成としてもよい。この構成によれば、いわゆる「引け」の課題は生じるものの、ルーバ部４２の入口部４２ａから冷気ダクト１３の裏面側への異物の進入を格子状の構造によって一層確実に防止することができる。
【００５７】
冷気ダクト１５は、正面側から見て左右方向に傾斜する傾斜面３０Ｌ，３０Ｒではなく、例えば、正面側から見て上下方向に傾斜する傾斜面を有する構成としてもよいし、正面側から見て斜め方向に傾斜する傾斜面を有する構成としてもよい。また、冷気ダクト１５を形成する材料は、適宜変更して実施することができ、例えば、ポリプロピレン系の樹脂材料により形成してもよい。
【００５８】
冷気吹出口４０は、冷気ダクト１５の左右方向の中央部だけでなく、例えば、冷気ダクト１５の左部あるいは右部にも設けてもよい。また、冷気吹出スリット４１は、冷気吹出口４０の左右に１本ずつではなく、冷気吹出口４０の左右に２本以上の複数本を設けてもよい。また、冷気吹出スリット４１は、連続的ではなく断続的に設けてもよい。
【００５９】
冷気ダクト１５の表面構造を、冷蔵室１２以外の貯蔵室の壁面あるいは壁面に取り付けられる部材の表面に適用してもよい。
【００６０】
本実施形態に係る冷蔵庫によれば、冷気ダクトの照明部側の面に複数の傾斜面が設けられており、これら複数の傾斜面を相互に仮想的に連結することにより形成される仮想反射面が、照明部とは反対側に窪むほぼ凹面状をなす。この構成によれば、貯蔵室内をより明るく照明することができ、また、より美しく照明することができる。
【００６１】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００６２】
図面中、１０は冷蔵庫、１２は冷蔵室（貯蔵室）、１５は冷気ダクト、１７は棚、２０Ｌは冷蔵室左扉（扉）、２０Ｒは冷蔵室右扉（扉）、２２Ｌ，２２Ｒは照明部、２５は光源、３０Ｌ，３０Ｒは傾斜面、３１Ｌ，３１Ｒは仮想反射面を示す。
【図１】
2019027752.tif 000003
【図２】
2019027752.tif 000004
【図３】
2019027752.tif 000005
【図４】
2019027752.tif 000006
【図５】
2019027752.tif 000007
【図６】
2019027752.tif 000008
【図７】
2019027752.tif 000009
【図８】
2019027752.tif 000010
【図９】
2019027752.tif 000011
【図１０】
2019027752.tif 000012
【図１１】
2019027752.tif 000013
【図１２】
2019027752.tif 000014
【図１３】
2019027752.tif 000015